(57)【要約】【課題】リンク連結ピンがセンターピンと２つのサイドピンとを含む構造のチェ−ンベルトにおいて、サイドピンまたはリンクが他方に対しリンクの幅方向に変位してサイドピンの端がリンクの孔の縁に当るようになると、サイドピンによるリンクの支持が不十分になると同時に、サイドピンの端の角の当接によりリンクの孔の縁の摩耗が増大し、チェ−ンベルトの耐久性が損なわれることを抑制する。【解決手段】センターピンに沿う方向の移動について見て、リンクの移動範囲がサイドピンの移動範囲の内側にあるよう規制する手段を設ける。【選択図】図２
2007292222.tif 000002
【特許請求の範囲】
【請求項１】
チェ−ンベルトの延在方向に沿って互いに隣接して配置された第一および第二のリンクの隣接する端部が互いに重ね合わされ、該重ね合わせ部にて前記第一のリンクの端部に形成された第一の孔と該重ね合わせ部にて前記第二のリンクの端部に形成された第二の孔とを貫通して１つのセンターピンとその両側に配置された２つのサイドピンとを含むリンク連結ピンが通されることにより該第一および第二のリンクが互いに連結され、前記リンク連結ピンを挟んで互いに向かい合う前記第一および第二の孔の縁は前記２つのサイドピンの各一つと補形的に係合し、前記第一および第二のリンクが前記リンク連結ピンの周りに相対的に角偏倚するとき前記センターピンと前記サイドピンとはそれらの当接係合部を前記センターピンの表面に沿って該センターピンの横断面の一端部から他端部へ向けて移動させつつ互いに転動するようになっており、前記センターピンがその両端にて一対の互いに対向するプーリの円錐状面に当接することにより該プーリとの間に駆動力を伝達する構造のチェ−ンベルトにして、前記センターピンに沿う方向の移動について見て、前記リンクの移動範囲が前記サイドピンの移動範囲の内側にあるよう規制されていることを特徴とするチェ−ンベルト。
【請求項２】
前記の規制は前記センターピンにより担持されて前記リンクの端面と前記サイドピンの端面とに対し個別の当接面を呈する端止め部材により行われていることを特徴とする請求項１に記載のチェ−ンベルト。
【請求項３】
前記の規制は前記サイドピンに於ける前記リンクの孔の縁に対する当接面の延在範囲が前記センターピンに対する当接面の延在範囲の内側に設けられていることにより行われていることを特徴とする請求項１に記載のチェ−ンベルト。
【請求項４】
前記サイドピンは長方形の板材を横断面が円弧をなす樋状に成形した形状の部材であり、前記リンクの孔の縁に対する当接面の延在範囲を限る段部が前記円弧に沿って延在するよう形成されていることを特徴とする請求項３に記載のチェ−ンベルト。
【請求項５】
前記サイドピンは長方形の板材を横断面が円弧をなす樋状に成形した形状の部材であり、前記リンクの孔の縁に対する当接面の延在範囲を限る段部が前記円弧少なくとも一方の端部に形成されていることを特徴とする請求項３に記載のチェ−ンベルト。
【発明の詳細な説明】
【技術分野】
【０００１】
本発明は、チェ−ンベルトに係り、特にチェ−ンベルトの延在方向に沿って互いに隣接して配置された第一および第二のリンクの隣接する端部が互いに重ね合わされ、該重ね合わせ部にて前記第一のリンクの端部に形成された第一の孔と該重ね合わせ部にて前記第二のリンクの端部に形成された第二の孔とを貫通してピンが通されることにより該第一および第二のリンクが互いに連結される構造のチェ−ンベルトの改良に係る。
【背景技術】
【０００２】
上記の如くリンクをピンにより連結したチェーンベルトにおいて、ベルトの折れ曲がりに必要な部材間の相対変位を摺動変位ではなく転動変位とすることによりリンク連結部の摩耗を低減したチェーンベルトとして、下記の特許文献1に記載されている如く、チェ−ンベルトの延在方向に沿って互いに隣接して配置された第一および第二のリンクの隣接する端部が互いに重ね合わされ、該重ね合わせ部にて前記第一のリンクの端部に形成された第一の孔と該重ね合わせ部にて前記第二のリンクの端部に形成された第二の孔とを貫通してピンが通されることにより該第一および第二のリンクが互いに連結され、前記ピンを挟んで互いに向かい合う前記第一および第二の孔の縁は、前記第一および第二のリンクが直線状に整列した状態から相互に屈曲するとき前記ピンの表面に沿って該ピンの横断面の一端部から他端部へ向けて転動するようになっているチェ−ンベルトが知られている。また更に、同特許文献にその一つの実施の形態として記載されている如く、かかるチェーンベルトにおいて、前記第一および第二のリンクの孔の縁を該リンクのその他の部分とは別部材として形成されてそこに取りつけられた縁取り部材により構成し、また特にそのような縁取り部材を、長方形の板材を横断面が円弧をなす樋状に成形した形状のサイドピンとして設け、リンクを担持し両端にて一対の互いに対向するプーリの円錐状面に当接するピンをセンターピンとして、その両側に２つのサイドピンを沿わせた構造とすることも行われている。
【特許文献１】特開２００６-０３８０７２
【発明の開示】
【発明が解決しようとする課題】
【０００３】
上記の如くリンク連結ピンがセンターピンと２つのサイドピンとを含む構造のチェ−ンベルトにおいて、サイドピンまたはリンクが他方に対しリンクの幅方向に変位してサイドピンの端がリンクの孔の縁に当るようになると、サイドピンによるリンクの支持が不十分になると同時に、サイドピンの端の角の当接によりリンクの孔の縁の摩耗が増大し、チェ−ンベルトの耐久性が損なわれる。
【０００４】
本発明は、上記の問題に着目し、この点に関し更に改良された転動連結チェーンベルトを提供することを課題としている。
【課題を解決するための手段】
【０００５】
上記の課題を解決するものとして、本発明は、チェ−ンベルトの延在方向に沿って互いに隣接して配置された第一および第二のリンクの隣接する端部が互いに重ね合わされ、該重ね合わせ部にて前記第一のリンクの端部に形成された第一の孔と該重ね合わせ部にて前記第二のリンクの端部に形成された第二の孔とを貫通して１つのセンターピンとその両側に配置された２つのサイドピンとを含むリンク連結ピンが通されることにより該第一および第二のリンクが互いに連結され、前記リンク連結ピンを挟んで互いに向かい合う前記第一および第二の孔の縁は前記２つのサイドピンの各一つと補形的に係合し、前記第一および第二のリンクが前記リンク連結ピンの周りに相対的に角偏倚するとき前記センターピンと前記サイドピンとはそれらの当接係合部を前記センターピンの表面に沿って該センターピンの横断面の一端部から他端部へ向けて移動させつつ互いに転動するようになっており、前記センターピンがその両端にて一対の互いに対向するプーリの円錐状面に当接することにより該プーリとの間に駆動力を伝達する構造のチェ−ンベルトにして、前記センターピンに沿う方向の移動について見て、前記リンクの移動範囲が前記サイドピンの移動範囲の内側にあるよう規制されていることを特徴とするチェ−ンベルトを提案するものである。
【０００６】
前記の規制は前記センターピンにより担持されて前記リンクの端面と前記サイドピンの端面とに対し個別の当接面を呈する端止め部材により行われてよい。
【０００７】
或はまた、前記の規制は前記サイドピンに於ける前記リンクの孔の縁に対する当接面の延在範囲が前記センターピンに対する当接面の延在範囲の内側に設けられていることにより行われてもよい。この場合、前記サイドピンは長方形の板材を横断面が円弧をなす樋状に成形した形状の部材とされ、前記リンクの孔の縁に対する当接面の延在範囲を限る段部は、前記円弧に沿って延在するよう形成され、或はまた、前記円弧少なくとも一方の端部に形成されてよい。
【発明の効果】
【０００８】
チェ−ンベルトの延在方向に沿って互いに隣接して配置された第一および第二のリンクの隣接する端部が互いに重ね合わされ、該重ね合わせ部にて前記第一のリンクの端部に形成された第一の孔と該重ね合わせ部にて前記第二のリンクの端部に形成された第二の孔とを貫通して１つのセンターピンとその両側に配置された２つのサイドピンとを含むリンク連結ピンが通されることにより該第一および第二のリンクが互いに連結され、前記リンク連結ピンを挟んで互いに向かい合う前記第一および第二の孔の縁は前記２つのサイドピンの各一つと補形的に係合し、前記第一および第二のリンクが前記リンク連結ピンの周りに相対的に角偏倚するとき前記センターピンと前記サイドピンとはそれらの当接係合部を前記センターピンの表面に沿って該センターピンの横断面の一端部から他端部へ向けて移動させつつ互いに転動するようになっており、前記センターピンがその両端にて一対の互いに対向するプーリの円錐状面に当接することにより該プーリとの間に駆動力を伝達する構造のチェ−ンベルトにおいては、互いに相対的に運動し合う部材間にチェ−ンベルトの滑らかな作動に必要なクリアランスを確保すべく、リンクおよびサイドピンはセンターピンの長手方向に沿う方向に少なくとも幾分かは自由に変位可能とされていなければならないが、そのような状況においても、上記の如くセンターピンに沿う方向の移動について見て、リンクの移動範囲がサイドピンの移動範囲の内側にあるよう規制されていれば、チェ−ンベルトの作動に伴ってリンクまたはサイドピンのいずれか一方または両方が前記クリアランス内にてどのように変位しても、サイドピンがリンクに対しリンクの幅方向に変位してサイドピンの端がリンクの孔の壁面に当るような事態は生ぜず、サイドピンによるリンクの支持が不十分になったり、サイドピンの端の角の当接によりリンクの孔の縁の摩耗が増大してチェ−ンベルトの耐久性が損なわれるようなことを抑制することができる。
【０００９】
前記の規制が、前記センターピンにより担持されて前記リンクの端面と前記サイドピンの端面とに対し個別の当接面を呈する端止め部材により行われれば、センターピンに対しリンクおよびサイドピンの移動範囲を所定の範囲に規制すると同時にリンクの移動範囲をサイドピンの移動範囲の内側にあるように規制することができる。
【００１０】
前記の規制が、前記サイドピンに於ける前記リンクの孔の縁に対する当接面の延在範囲が前記センターピンに対する当接面の延在範囲の内側に設けられていることにより行われれば、サイドピンにリンクの孔の縁に対する当接面とセンターピンに対する当接面とを互いに異なる延在範囲において設けることにより、前記の規制を行う構成をサイドピンに一体に組み込むことができる。これは、前記サイドピンが長方形の板材を横断面が円弧をなす樋状に成形した形状の部材である場合に、前記リンクの孔の縁に対する当接面の延在範囲を限る段部を、前記円弧に沿って延在するよう形成することによっても、或は、前記円弧少なくとも一方の端部に形成することによっても行なえる。
【発明を実施するための最良の形態】
【００１１】
添付の図１は本発明によるチェ−ンベルトをその一部に於いて一つの実施の形態について幾分解図的に示す側面図であり、図２は図１の切断面２−２によるチェ−ンベルトの断面を矢印方向に見た断面図である。
【００１２】
図に於いて、１０はセンターピンであり、１２ａおよび１２ｂはセンターピン１０の両側にそれに沿って配置された２つのサイドピンである。これら１つのセンターピンと２つのサイドピンとにより一つのリンク連結ピンが構成されている。１４は、かかるリンク連結ピンピンに対する第一のリンクであり、１６はかかるリンク連結ピンに対する第二のリンクであり、これら第一および第二のリンクが、それぞれの隣接する端部の重なり部にてそれぞれに明けられた孔にリンク連結ピンが通されることにより互いに回動可能に連結されている。即ち、第一のリンク１４の両端部には、半月状の孔１８が該リンクの長手方向の中心線２０に対し対称に開けられており、同様に第二のリンク１６にも、その両端部に半月状の孔２２が該リンクの長手方向の中心線２４に対し対称に開けられている。リンク連結ピンは孔１８と２２の重なり合った部分を貫通して設けられ、孔１８の縁２６と孔２２の縁２８との間に押し挟まれ、それによってリンク１４と１６の間に引っ張り力を伝達するようになっている。
【００１３】
サイドピン１２ａおよび１２ｂは、それぞれ長方形の板材を横断面が円弧をなす樋状に成形した形状の部材であり、孔１８の凸状の縁２６はサイドピン１２ｂの対向する凹状の側面と補形的に係合し、また孔２２の凸状の縁２８はサイドピン１２ａの対向する凹状の側面と補形的に係合している。
【００１４】
図１にてリンク１４の左方には、図示されていない同様のリンクが同様のセンターピン１０ｆとサイドピン１２ｆａ、１２ｆｂよりなるリンク連結ピンを介して連結されている。またリンク１６の右方には、同様のリンク３０が同様のセンターピン１０ｒとサイドピン１２ｒａ、１２ｒｂよりなるリンク連結ピンを介して連結され，更にリンク３０の右下方には、同様のリンク３２が同様のセンターピンとサイドピンよりなるリンク連結ピンを介して連結され、更にリンク３２の下方には、図示されていない同様のリンクが同様のセンターピンとサイドピンよりなるリンク連結ピンを介して連結されている。尚、これらの図１に現れている輪郭のリンクは、それぞれただ一つではなく、同種のものが図２に示されている如くリンクの厚み方向に多数枚重ね合わされ、チーエンベルトは所要の大きさの駆動力を伝達することができるようになっている。これらのリンクよりなるチェ−ンベルトは、白抜き矢印にて示されている如く図にて右方へ移動中であり、今丁度リンク３０が図には示されていないプ−リの周りに巻き掛けられつつある。
【００１５】
図示のチェ−ンベルトは、プ−リ間に掛け渡され、直線かまたはそれより一方の側へのみ折り曲げられる態様にて使用されるものとする。図示の状態では、第一および第二のリンク１４および１６はチェ−ンベルトの直線状延在部にあり、リンク１６は直線状延在状態の終端にある。第一および第二のリンク１４および１６がチェ−ンベルトの直線状延在部にあるとき、センターピン１０を挟んで対向するリンク１４の孔１８の縁２６に沿って配置されたサイドピン１２ｂとリンク１６の孔２２の縁２６に沿って配置されたサイドピン１２ａとは、センターピン１０の横断面で見て、その一端部（図１にて下端部）にて該センターピンの表面と係合するよう形成されている。リンク１４と１６がリンク連結ピンの周りに相対的に角偏倚するとき、センターピン１０とサイドピン１２ａ，１２ｂとはそれらの当接係合部をセンターピン１０の表面に沿って該センターピンの横断面の一端部（図にて下端部）から他端部（図にて上端部）へ向けて移動させつつ互いに転動するようになっている。
【００１６】
そして、図示の状態からチェ−ンベルトがリンク一つ分だけ図にて右方へ移動し、リンク１４がリンク１６の位置に至り、リンク１６がリンク３０の位置に至ると、その間にリンクに１４と１６の間には、図示のリンク１６と３０の間の如き折れ曲がりが生じ、それに応じて、センターピンに対するサイドピンの接触部は、図１で見て下端部より上端部まで移動し、図にてリンクに１６と３０の間に示されている状態となる。
【００１７】
センターピン１０等の両側面とサイドピン１２ａ，１２ｂ等の互いに係合する側壁には、チェ−ンベルトが直線状延在部にあるとき、センターピンに対しこれを挟んで対向するサイドピンが図１にて下端部にて係合する部分に凹部３４と凸部３６との嵌合よりなり、センターピンとサイドピンとの転動係合の相対的位置関係を転動方向への滑りに対し規制する滑り係止手段が設けられている。図１に示す例では、センターピンの側に凹部３４が設けられ、サイドピンの側に凸部３６が設けられているが、かかる凹凸の関係は逆の関係とされてもよく、即ち、センターピンの側に同様の凸部が設けられ、サイドピンの側に同様の凹部が設けられてもよい。
【００１８】
かかる滑り係止手段の凹凸の輪郭は、互いに嵌合してセンターピンとサイドピンの転動係合の相対的位置関係を転動方向への滑りに対し規制することができる凹凸輪郭であれば、任意の輪郭のものであってよいが、特に、図１に示す例に於ける如く、凹部はＶ字形であり、凸部は凹部Ｖ字形に対し補形をなす山形であるのが好ましく、滑り係止手段の凹凸輪郭がそのような輪郭とされるときには、リンクの折れ曲がりに伴って凹部と凸部の間の係合が外れた後、その状態でチェーンベルトがプーリの周りを更に進行し、再びチェ−ンベルトの直線状延在部に至り、リンクが直線状に戻り、凹部と凸部とが再び嵌合するとき、Ｖ字形と山形との嵌合がもたらす案内作用により、隣接するリンク間の整合が行なわれる。
【００１９】
リンク１４の孔の縁とリンク１６の孔の縁の図１で見た輪郭は、補形係合部２６，２８を除き、円弧であってよく、また補形係合部２６，２８の輪郭は、リンク１２と１４の間に図示の如き折れ曲がりが生ずることに応じて、センターピン１０に対するリンク１４の孔の縁２６およびリンク１６の孔の縁２８に沿ったサイドピン１２ａ，１２ｂの接触部が図１で見て下端部より上方へ移動するように定められればよい。こうしてリンク１４と１６の間にはセンターピン１０とサイドピン１２ａ，１２ｂよりなるリンク連結ピンによる回動連結が達成され、その際、リンク１４に対し固定的に配置されたサイドピン１２ｂとセンターピン１０の間の係合およびリンク１６に対し固定的に配置されたサイドピン１２ａとセンターピン１０の間の係合は、いずれも転動係合となる。
【００２０】
図示の如くセンターピンと転動係合する孔の縁部がリンクの本体部とは別部材として形成されたサイドピンにより縁取られた構造とされることにより、リンクが張力に対し優れた強度を呈するが耐摩耗は高くない材料により造られる場合にも、孔の縁部の耐圧強度を高めることができる。
【００２１】
図２に示されている如く、サイドピン１２ｂ（１２ａも同様）等はその長さが適度のクリアランスを以って重ね合わされたリンク１４，１６等の重合体の幅より大きく作られており、サイドピンはその両端部にてリンク重合体の最外層にあるリンクより突き出るようになっている。そして図２に示す実施の形態に於いては、この様にサイドピンの両端がリンク重合体の最外層にあるリンクより突き出た状態が、サイドピンの端面に対する当接面３８と、リンク重合体の側面に対する当接面４０とを備え、センターピン１０等により担持された端止め部材４２により保持されるようになっている。端止め部材４２は断面がコ字形の部材であってよく、その中央部に開けられた孔４４によりセンターピン１０等上に装着され、その際センターピン上に圧入されることにより、或いは装着後の溶接等による適当な固定手段によりより、センターピン上の所定位置に固定されてよい。
【００２２】
この様にサイドピンの端面に対する当接面３８と、リンク重合体の側面に対する当接面４０とを個別に備え、これら２つの当接面がセンターピンの軸線に沿う方向に適当に隔置されている端止め部材４２を用いることにより、センターピンの長手方向に見て、リンクの移動範囲Ｌｉをサイドピンの移動範囲Ｌｏの内側にあるよう規制することができ、これによってチェ−ンベルトの滑らかな作動に必要なクリアランスを確保すべくリンクおよびサイドピンがセンターピンの長手方向に所定の自由度にて変位可能とされていても、サイドピンまたはリンクが互いに他に対しリンクの幅方向に変位してサイドピンの端がリンクの孔の縁に当るような事態を確実に阻止することができる。
【００２３】
図３および図４は、センターピンの長手方向に沿うリンクの移動範囲をサイドピンの移動範囲の内側にあるよう規制する手段の他の一つの実施の形態を示すチェーンベルトの要部の側面図および断面図である。図４に示す断面は、図３に示す構造の断面を矢印４−４の方向に見た図である。
【００２４】
この場合、リンクの孔の縁２８，２６に当接するサイドピン１２ａ，１２ｂの当接面４６ａ，４６ｂの延在範囲Ｌｉは、センターピン１０に対するサイドピン１２ａ，１２ｂの当接面４８ａ，４８ｂの延在範囲Ｌｏの内側に設けられており、これによってサイドピンがリンクに対しリンクの幅方向に変位してサイドピンの端がリンクの孔の縁に当るような事態を阻止する手段がサイドピンに一体に組み込まれた構成として与えられている。
【００２５】
図３および図４に示す構造においては、サイドピン１２ａ，１２ｂが長方形の板材を横断面が円弧をなす樋状に成形した形状の部材であり、リンクの孔の縁に対するサイドピン１２ａ，１２ｂの当接面の延在範囲Ｌｉを限る段部は円弧状の段部５０ａ，５０ｂの如く円弧状に延在するよう形成されているが、かかる構成に代えて図５の（Ａ），（Ｂ），（Ｃ）に示す如く、サイドピンが長方形の板材を横断面が円弧をなす樋状に成形した形状の部材であるとき、リンクの孔の縁に対するサイドピンの当接面の延在範囲Ｌｉを限る段部は端段部５２の如く円弧少なくとも一方の端部に形成されていてもよい。図５の（Ａ）においては、そのような端段部５２が円弧の両端部に形成されており、図５の（Ｂ）においては、そのような端段部５２が円弧の図にて上端部にみに形成されており、図５の（Ｃ）においては、そのような端段部５２が円弧の図にて下端部にみに形成されている。図６は、図５の（Ａ）の断面６−６を矢印方向に見た図である。
【００２６】
図３、図４に示す構造および図５、図６に示す構造のいずれに於いても、センターピン長手方向に沿ったサイドピンの移動範囲Ｌｏは、センターピンにより担持されサイドピンの端面に対する当接面３８のみを備えた端止め部材５４により保持されるようになっていてよく、センターピン１０等上への端止め部材５４の装着は、その中央部に開けられた孔５６にてセンターピン上へ装着されるとき圧入されることにより、或いは装着後の溶接等による適当な固定手段によりより、センターピン上の所定位置に固定されてよい。
【００２７】
以上に於いては本発明をいくつかの実施の形態について詳細に説明したが、これらの実施の形態について本発明の範囲内にて種々の変更が可能であることは当業者にとって明らかであろう。
【図面の簡単な説明】
【００２８】
【図１】本発明によるチェ−ンベルトをその一部に於いて一つの実施の形態について幾分解図的に示す側面図。
【図２】図１の切断面２−２によるチェ−ンベルトの断面を矢印方向に見た断面図。
【図３】センターピンの長手方向に沿うリンクの移動範囲をサイドピンの移動範囲の内側にあるよう規制する手段の他の一つの実施の形態を示すチェーンベルトの要部の側面図。
【図４】図３の切断面４−４によるチェ−ンベルトの断面を矢印方向に見た断面図。
【図５】センターピンの長手方向に沿うリンクの移動範囲をサイドピンの移動範囲の内側にあるよう規制する手段の他の３つの実施の形態（Ａ，Ｂ，Ｃ）を示すチェーンベルトの要部の側面図。
【図６】図５の（Ａ）の切断面６−６によるチェ−ンベルトの断面を矢印方向に見た断面図。
【符号の説明】
【００２９】
１０，１０ｆ，１０ｒ…センターピン、１２ａ，１２ｂ，１２ｆａ，１２ｆｂ，１２ｒａ，１２ｒｂ…サイドピン、１４，１６…リンク、１８…リンク１４の孔、２０…リンク１４の長手方向の中心線、２２…リンク１６の孔、２４…リンク１６の長手方向の中心線、２６…孔１８の縁、２８…孔２２の縁、３０，３２…リンク、３４…凹部、３６…凸部、３８…サイドピンの端面に対する当接面、４０…リンク重合体の側面に対する当接面、４２…端止め部材、４４…端止め部材４２の孔、４６ａ，４６ｂ…リンクの孔の縁２８，２６に対するサイドピン１２ａ，１２ｂの当接面、４８ａ，４８ｂ…センターピンに対するサイドピン１２ａ，１２ｂの当接面、５０ａ，５０ｂ…円弧状の段部、５２…端段部、５４…端止め部材、５６…端止め部材５４の孔
【図１】
2007292222.tif 000003
【図２】
2007292222.tif 000004
【図３】
2007292222.tif 000005
【図４】
2007292222.tif 000006
【図５】
2007292222.tif 000007
【図６】
2007292222.tif 000008